(57)【要約】【課題】２孔用孔開けパンチ器で用紙辺の中心に２孔を穿孔するとき中心の位置決めは、孔開けパンチ器本体に内蔵したガイドを引き出して用紙に当てて中心位置を割り出すか、用紙を二つ折りしてできた折り痕から中心位置を決めたりするが、ガイドを引き出すと孔開けパンチ器本体が大きくなって扱いにくく操作が煩わしい、用紙を二つ折りする作業も孔開け作業と連続せず作業効率が悪かった。  本発明は用紙辺の中心位置を自動的に決めて穿孔するための２段式２孔パンチ器を提供する。【解決手段】用紙に線状の圧迫痕を付ける押付刃を２孔用孔開けパンチ器に設け、該パンチ器本体に基準点を設けて該圧迫痕と位置を合わせると、パンチ軸刃が用紙辺の中央に穿孔できることを特徴とする２段式２孔パンチである。【選択図】図１
2014018946.tif 000002
【特許請求の範囲】
【請求項１】
用紙に圧迫痕を付ける押付刃を２孔用孔開けパンチ器に設け、該パンチ器本体に基準点を設けて該圧迫痕と位置を合わせると、パンチ軸刃が用紙辺の中央に穿孔できることを特徴とする２段式２孔パンチである。
【発明の詳細な説明】
【技術分野】
【０００１】  本発明は、用紙の一辺の中央に２孔を容易に位置決めして穿孔できる、２段式２孔パンチ器に関するものである。
【背景技術】
【０００２】  従来、２孔用孔開けパンチ器で用紙の一辺の中央部分に孔を開ける時は、パンチ器本体に内蔵したガイドを引き出して用紙に当てて中心位置を割り出すか、用紙を二つ折りして用紙の中心にできた折り痕を該孔開けパンチ器の中心位置に合わせて孔を開けていた。また、孔開けパンチ器に内蔵した二つのガイドが連動して用紙を挟み、中心位置を決めることができる孔開けパンチ（特許文献４、特許文献５）も知られている。
【先行技術文献】
【０００３】
【特許文献１】特開２００６−１９８７２６号公報
【特許文献２】実開平０１−１７０５９４号公報
【特許文献３】実開平０１−１６３０９７号公報
【特許文献４】実開昭６０−１２７８９７号公報
【特許文献５】実開昭５７−１０８９００号公報
【発明の概要】
【発明が解決しようとする課題】
【０００４】  そのために、次のような問題点があった。
（イ）用紙辺の中心位置を決める為に孔開けパンチ器本体からガイドを引き出すと、構造的に大きくなり扱いにくい。
（ロ）中心位置を決める為のガイドを引き出す操作と、用紙をセットして穿孔する操作の二つの異なる作業があり煩わしい。
（ハ）用紙辺の中心位置を出す為に、用紙を二つ折りする作業が孔開け作業と連続せず作業効率が悪い。
本発明は、以上の問題点を解決しようとするものである。
【課題を解決するための手段】
【０００５】  用紙に線状の圧迫痕を付ける押付刃を２孔用孔開けパンチ器に設け、該パンチ器本体に基準点を設けて該圧迫痕と位置を合わせると、パンチ軸刃が用紙辺の中央に穿孔できることを特徴とする２段式２孔パンチである。
【発明の効果】
【０００６】  その結果、次の効果がある。
（イ）躯体がコンパクトになり扱いやすい。
（ロ）用紙の挿入とレバー操作で孔の位置決めと孔開けができ、作業効率が良い。
【図面の簡単な説明】
【０００７】
【図１】本発明の斜視図
【図２】本発明のＡ−Ａ断面図
【図３】本発明の使用状態を示す斜視図
【図４】本発明のＢ−Ｂ断面図
【図５】本発明のＣ−Ｃ断面図
【図６】本発明のＣ−Ｃ断面の押付刃（１４）周辺の拡大断面図
【図７】本発明の操作によって形成された用紙の平面図
【図８】本発明の使用状態を示す斜視図
【図９】本発明の操作によって形成された用紙の平面図
【図１０】本発明の使用状態を示す正面斜視図
【図１１】本発明の操作によって形成された用紙の平面図
【図１２】本発明の使用状態を示す正面斜視図
【図１３】本発明の操作によって形成された用紙の平面図
【図１４】本発明の実施例２の斜視図
【図１５】本発明の実施例２のＤ−Ｄ断面図
【図１６】本発明の実施例２の使用状態を示す斜視図
【図１７】本発明の実施例２のＥ−Ｅ断面図
【図１８】本発明の実施例２のＦ−Ｆ断面図
【図１９】本発明の実施例２の使用状態を示す斜視図
【図２０】本発明の実施例２の使用状態を示す正面斜視図
【図２１】本発明の実施例２の使用状態を示す正面斜視図
【図２２】本発明の実施例３の使用状態を示す斜視図
【図２３】本発明の実施例３のＧ−Ｇ断面図
【図２４】本発明の実施例３の使用状態を示す斜視図
【図２５】本発明の実施例３のＨ−Ｈ断面図
【図２６】本発明の実施例３のＩ−Ｉ断面図
【図２７】本発明の実施例３の使用状態を示す斜視図
【図２８】本発明の実施例３の使用状態を示す正面斜視図
【図２９】本発明の実施例３の使用状態を示す正面斜視図
【図３０】本発明の実施例４の斜視図
【図３１】本発明の実施例４の正面図
【図３２】本発明の実施例４のＪ−Ｊ断面図
【図３３】本発明の実施例４の基準痕用紙挿入部（８）周辺の拡大斜視図
【図３４】本発明の実施例４の使用状態を示す正面斜視図
【図３５】本発明の実施例４の使用状態を示す正面斜視図
【図３６】本発明の実施例４の使用状態を示す正面斜視図
【図３７】本発明の実施例４の使用状態を示す正面斜視図
【図３８】本発明の実施例５の斜視図
【図３９】本発明の実施例５のＫ−Ｋ断面図
【図４０】本発明の実施例５の使用状態を示す斜視図
【図４１】本発明の実施例５のＬ−Ｌ断面図
【図４２】本発明の実施例５のＭ−Ｍ断面図
【図４３】本発明の実施例５のＭ−Ｍ断面の押付刃（１４）周辺の拡大断面図
【図４４】本発明の実施例５の使用状態を示す斜視図
【図４５】本発明の実施例５の使用状態を示す正面斜視図
【図４６】本発明の実施例５の使用状態を示す正面斜視図
【発明を実施するための形態】
【実施例１】
【０００８】  以下、本発明の実施の形態について説明する。
（イ）図１及び図２に示すように２孔パンチ器（１）のベース（２）上面に一定の間隔で２個のパンチ孔（１２）を設ける。
（ロ）図１及び図２に示すように２個のパンチ孔（１２）の上にフレーム（３）をそれぞれ止着し、フレーム（３）の中に支点ピン（５）を取り付け、該支点ピン（５）でフレーム（３）と繋がった回動可能なレバー（４）を該フレーム（３）の上部に設置する。レバー（４）は支点ピン（５）に装着したバネ（７）で常時上方に付勢している。それぞれのフレーム（３）に設置されたレバー（４）は後方で繋がり一体となっている。
（ハ）図２に示すようにフレーム（３）内にはレバー（４）と軸ピン（６）で繋がったパンチ軸刃（１３）を垂直に設け、更に二つあるパンチ軸刃（１３）のうちの一つのパンチ軸刃（１３）に押付刃（１４）を水平に止着する。レバー（４）の圧下に連動して降下するパンチ軸刃（１３）と共に押付刃（１４）も降下し、図６に示すようにパンチ軸刃（１３）の最下点で押付刃（１４）がフレーム（３）の底部に設置した押付台（１５）に設けた溝（１６）に収まるように設置する。
（ニ）図１及び図２に示すようにバネ（７）の付勢力で常時上方に保持されるレバー（４）に連動して、押付刃（１４）も常時上方に引き上げられ押付台（１５）との間に一定の間隔が開いている。該間隔と同位置にフレーム（３）の正面から側面の一部に至ってフレーム（３）を水平に切り欠き、用紙（１７）がフレーム（３）の外から挿入できるよう基準痕用紙挿入部（８）を設ける。
（ホ）図２に示すように切り欠いた基準痕用紙挿入部（８）の開口部の高さは、挿入した用紙（１７）が押付刃（１４）に当たって損傷しないよう押付刃（１４）と押付台（１５）の間隔よりも狭くする。
（ヘ）図１に示すようにフレーム（３）を切り欠いて基準痕用紙挿入部（８）を設ける際、二つのフレーム（３）のうち押付刃（１４）を中に設けていないフレーム（３）の外側の側壁を一か所切り欠かずに残し、突当たり部（１１）とする。
（ト）図１及び図２に示すようにベース（２）とフレーム（３）の間の一部に用紙（１７）を挿入する為の空間を設け穿孔用紙挿入部（９）とする。
（チ）図２に示すようにレバー（４）と軸ピン（６）で繋がったパンチ軸刃（１３）は、レバー（４）の圧下に連動して降下し、ベース（２）のパンチ孔（１２）に垂直に嵌入するよう設置する。
（リ）図８及び図１２に示すように、穿孔用紙挿入部（９）の最奥部のベース（２）上面で２個のパンチ軸刃（１３）の中央に中心基準点（２０）を表示し、該中心基準点（２０）から該穿孔用紙挿入部（９）の最奥部に沿って横並びで突き当たり部（１１）側に向かって短辺基準点（２２）と長辺基準点（２１）を表示する。
（ヌ）上記（リ）の長辺基準点（２１）と中心基準点（２０）の間隔は、２孔パンチ器（１）で扱う紙の寸法の規格であるＩＳＯ２１６やＪＩＳ規格Ｐ０１３８に基づいた紙の規格長辺寸法の２分の１の長さから図５に示すように押付刃（１４）の刃から突き当たり部（１１）までの基準寸法（２３）を差し引いた長さとし、該長さを長辺中心寸法（２４）とする。
（ル）上記（リ）の短辺基準点（２２）と中心基準点（２０）の間隔は、２孔パンチ器（１）で扱う紙の寸法の規格であるＩＳＯ２１６やＪＩＳ規格Ｐ０１３８に基づいた紙の規格短辺寸法の２分の１の長さから図５に示すように押付刃（１４）の刃から突き当たり部（１１）までの基準寸法（２３）を差し引いた長さとし、該長さを短辺中心寸法（２５）とする。
（オ）紙の寸法の規格はＩＳＯ２１６、ＪＩＳ規格のＰ０１３８の他にレターサイズがあり、紙の規格長辺寸法及び規格短辺寸法は該規格に基づくものとする。例としてＡ４用紙の長辺の近似値は２９７ｍｍ、短辺の近似値は２１０ｍｍ。Ｂ５用紙の長辺の近似値は２５７ｍｍ、短辺の近似値は１８２ｍｍである。
本発明は以上のような構造である。
本発明を利用するときは、図９に示すように用紙（１７）の長辺（１８）の中央に二つの孔（２８）を穿孔する場合、図３に示すように用紙（１７）の長辺（１８）を奥にして基準痕用紙挿入部（８）に該用紙（１７）を挿入する。該用紙（１７）の片方の短辺（１９）は突当たり部（１１）に押し当てて用紙（１７）を揃える。次に図４及び図５に示すようにレバー（４）を圧下して連動するパンチ軸刃（１３）に水平に止着した押付刃（１４）を降下させ、用紙（１７）に押しつけると押付刃（１４）と押付台（１５）に挟まれた用紙（１７）が圧迫されて押付刃（１４）に接触した最上部の用紙（１７）に線状の圧迫痕が付く。図７に示すように該用紙（１７）の長辺（１８）に付いた線状の圧迫痕を基準痕（１０）とする。この際、用紙（１７）を損傷しない程度に押付刃（１４）の刃先は丸めておく。図６に示すように基準痕用紙挿入部（８）に挿入する用紙（１７）が１枚もしくは２枚で、用紙（１７）に弾力が無く圧迫痕が付かない場合は、押付刃（１４）を最下点まで降下させて押付台（１５）に設けた溝（１６）の中まで該押付刃（１４）を降下させると該押付刃（１４）と該溝（１６）に挟まれた該用紙（１７）に折り曲げによる線状の基準痕（１０）を付けることができる。図５に示すように突当たり部（１１）と押付刃（１４）との間の長さを基準寸法（２３）とするので押付刃（１４）が用紙（１７）の長辺（１８）に基準痕（１０）を付けた結果、図７に示すように用紙（１７）の長辺（１８）に付いた該基準痕（１０）は短辺（１９）と平行に形成され、該基準痕（１０）と該短辺（１９）の間隔が基準寸法（２３）となる。基準寸法（２３）は２孔パンチ器（１）固有の寸法となり、以後の二つの孔（２８）の位置決めにおいて基本の長さとして利用する。次に図８に示すように用紙（１７）を穿孔する為に該用紙（１７）を穿孔用紙挿入部（９）に挿入する際は、基準痕（１０）の付いた長辺（１８）を奥にして挿入する。その際該用紙（１７）の長辺（１８）に付いた基準痕（１０）と該穿孔用紙挿入部（９）の最奥部に表示された長辺基準点（２１）の位置を一致させる。図８に示すようにベース（２）に表示される該長辺基準点（２１）と中心基準点（２０）との位置関係は、２孔パンチ器（１）で扱う用紙（１７）を想定して該当する紙の寸法規格であるＩＳＯ２１６やＪＩＳ規格Ｐ０１３８の寸法に基づき、紙の規格長辺寸法の２分の１を算出し、該規格長辺寸法の２分の１から図５に示す基準寸法（２３）を差し引いた残りの長さを長辺中心寸法（２４）として長辺基準点（２１）と中心基準点（２０）の間隔とする。したがって図８に示すように上記の想定に該当した用紙（１７）の長辺（１８）の基準痕（１０）とベース（２）に表示された長辺基準点（２１）の位置を一致させると、用紙（１７）の基準痕（１０）から長辺（１８）の中心に向かって長辺中心寸法（２４）の長さの位置が用紙（１７）の長辺（１８）の２分の１の位置であり且つ長辺（１８）の中心位置となる。故にベース（２）に表示された長辺基準点（２１）から長辺中心寸法（２４）の間隔の位置に表示された中心基準点（２０）と用紙の長辺（１８）の中心位置が一致することになる。更に図５に示すようにベース（２）の中心基準点（２０）は二つのパンチ軸刃（１３）の中心に位置するので、用紙（１７）の長辺（１８）の基準痕（１０）とベース（２）に表示された長辺基準点（２１）の位置を一致させて、レバー（４）を圧下し、二つのパンチ軸刃（１３）を降下させると、図９に示すように二つの孔（２８）が用紙（１７）の長辺（１８）の中央に自動的に穿孔することができる。
図１３に示すように用紙（１７）の短辺（１９）の中央に二つの孔（２８）を穿孔する場合も長辺（１８）に穿孔する場合と同様に図１０に示すように用紙（１７）の短辺（１９）を奥にして基準痕用紙挿入部（８）に該用紙（１７）を挿入する。該用紙（１７）の片方の長辺（１８）は突当たり部（１１）に押し当てて揃える。次に図４及び図５に示すようにレバー（４）を圧下して連動するパンチ軸刃（１３）に水平に止着した押付刃（１４）を降下させ、用紙（１７）に押しつけると押付刃（１４）と押付台（１５）に挟まれた用紙（１７）が圧迫されて押付刃（１４）に接触した最上部の用紙（１７）に線状の圧迫痕が付く。図１１に示すように該用紙（１７）の短辺（１９）に付いた線状の圧迫痕を基準痕（１０）とする。図５に示すように突当たり部（１１）と押付刃（１４）の刃との間の長さを基準寸法（２３）とするので押付刃（１４）が用紙（１７）の短辺（１９）に基準痕（１０）を付けた結果、図１１に示すように用紙（１７）の短辺（１９）に付いた該基準痕（１０）は長辺（１８）と平行に形成され、該基準痕（１０）と該長辺（１８）の間隔が基準寸法（２３）となる。次に図１２に示すように用紙（１７）を穿孔する為に該用紙（１７）を穿孔用紙挿入部（９）に挿入する際は、基準痕（１０）の付いた短辺（１９）を奥にして挿入する。その際該用紙（１７）の短辺（１９）に付いた基準痕（１０）と該穿孔用紙挿入部（９）の最奥部に表示された短辺基準点（２２）の位置を一致させる。図１２に示すようにベース（２）に表示される該短辺基準点（２２）と中心基準点（２０）との位置関係は、２孔パンチ器（１）で扱う用紙（１７）を想定して該当する紙の寸法規格であるＩＳＯ２１６やＪＩＳ規格Ｐ０１３８の寸法に基づき、紙の規格短辺寸法の２分の１を算出し、該規格短辺寸法の２分の１から図５に示す基準寸法（２３）を差し引いた残りの長さを短辺中心寸法（２５）として短辺基準点（２２）と中心基準点（２０）の間隔とする。したがって図１２に示すように上記の想定に該当した用紙（１７）の短辺（１９）の基準痕（１０）とベース（２）に表示された短辺基準点（２２）の位置を一致させると、用紙（１７）の基準痕（１０）から短辺（１９）の中心に向かって短辺中心寸法（２５）の長さの位置が用紙（１７）の短辺（１９）の２分の１の位置であり且つ短辺（１９）の中心位置となる。故にベース（２）に表示された短辺基準点（２２）から短辺中心寸法（２５）の間隔の位置に表示された中心基準点（２０）と用紙の短辺（１９）の中心位置が一致することになる。更に図５に示すようにベース（２）の中心基準点（２０）は二つのパンチ軸刃（１３）の中心に位置するので、用紙（１７）の短辺（１９）の基準痕（１０）とベース（２）に表示された短辺基準点（２２）の位置を一致させて、レバー（４）を圧下し、二つのパンチ軸刃（１３）を降下させると、図１３に示すように二つの孔（２８）が用紙（１７）の短辺（１９）の中央に自動的に穿孔することができる。
【実施例２】
【０００９】  以下、本発明の第２実施の形態について説明する。
（イ）図１４及び図１５に示すように２孔パンチ器（１）のベース（２）上面に一定の間隔で２個のパンチ孔（１２）を設ける。
（ロ）図１４及び図１５に示すように２個のパンチ孔（１２）の上にフレーム（３）をそれぞれ止着し、フレーム（３）の中に支点ピン（５）を取り付け、該支点ピン（５）でフレーム（３）と繋がった回動可能なレバー（４）を該フレーム（３）の上部に設置する。それぞれのフレーム（３）に設置されたレバー（４）は後方で繋がり一体となっている。
（ハ）図１５に示すようにフレーム（３）内にはレバー（４）と軸ピン（６）で繋がったパンチ軸刃（１３）を垂直に設ける。レバー（４）は該パンチ軸刃（１３）に装着したバネ（７）で常時上方に付勢し、同時にパンチ軸刃（１３）も上方に保持されている。
（ニ）図１４、図１５及び図１８に示すように二つあるレバー（４）の前部のうちのひとつのレバー（４）の前部の裏面に刃先を下向きにした押付刃（１４）を止着する。レバー（４）の先端正面から側面の一部に至ってレバー（４）上面と平行に切り欠き、用紙（１７）が外から挿入できるように基準痕用紙挿入部（８）を設ける。基準痕用紙挿入部（８）の開口部は該開口部の上端が押付刃（１４）の刃先と同位置になるよう設定する。該基準痕用紙挿入部（８）の開口部の高さは２孔パンチ器（１）が穿孔可能な用紙（１７）の最多枚数の厚みが収容できる高さとする。
（ホ）図１４に示すようにレバー（４）を切り欠き基準痕用紙挿入部（８）を設ける際、押付刃（１４）を設置していないレバー（４）の外側の側壁を一か所切り欠かずに残し、突当たり部（１１）とする。
（ヘ）図１５に示すように押付刃（１４）の直下のフレーム（３）上部に押受ピン（３０）を取り付け、フレーム（３）と該押受ピン（３０）で繋がった回動可能な押付台受（２９）を設置する。該押受台受（２９）の上面には軟質樹脂又はゴム材の押付台（１５）を貼り付ける。
（ト）図１５に示すように押付台受（２９）を貫通する押受ピン（３０）は該押付台受（２９）の中心より奥の位置に取り付けている為、該押付台受（２９）と押付台（１５）は正面の基準痕用紙挿入部（８）の入り口に向かって挿入される用紙（１７）を受ける形に傾斜している。
（チ）図１７に示すようにレバー（４）を圧下すると支点ピン（５）を中心にして回動したレバー（４）に連動した押付刃（１４）が降下し、フレーム（３）上部に取り付けた押付台（１５）に接近する。レバー（４）を最下点まで圧下させたとき押付刃（１４）が軟質樹脂又はゴム材で形成された押付台（１５）を押しつけた状態で停止するよう該押付台（１５）を設置する。この時押付ピン（３０）を中心に回動する押付台（１５）と押付台受（２９）は押付刃（１４）と平行に接触する。
（リ）図１４及び図１５に示すようにベース（２）とフレーム（３）の間の一部に用紙（１７）を挿入する為の空間を設け穿孔用紙挿入部（９）とする。
（ヌ）図１５に示すようにレバー（４）と軸ピン（６）で繋がったパンチ軸刃（１３）は、レバー（４）の圧下に連動して降下し、ベース（２）のパンチ孔（１２）に垂直に嵌入するよう設置する。
（ル）図１９及び図２１に示すように穿孔用紙挿入部（９）の最奥部のベース（２）上面で２個のパンチ軸刃（１３）の中央に中心基準点（２０）を表示し、該中心基準点（２０）から該穿孔用紙挿入部（９）の最奥部に沿って横並びで突き当たり部（１１）側に向かって短辺基準点（２２）と長辺基準点（２１）を表示する。
（オ）上記（ル）の長辺基準点（２１）と中心基準点（２０）の間隔は、２孔パンチ器（１）で扱う紙の寸法の規格であるＩＳＯ２１６やＪＩＳ規格Ｐ０１３８に基づいた紙の規格長辺寸法の２分の１の長さから図１８に示すように押付刃（１４）の刃から突き当たり部（１１）までの基準寸法（２３）を差し引いた長さとし、該長さを長辺中心寸法（２４）とする。
（ワ）上記（ル）の短辺基準点（２２）と中心基準点（２０）の間隔は、２孔パンチ器（１）で扱う紙の寸法の規格であるＩＳＯ２１６やＪＩＳ規格Ｐ０１３８に基づいた紙の規格短辺寸法の２分の１の長さから図１８に示すように押付刃（１４）の刃から突き当たり部（１１）までの基準寸法（２３）を差し引いた長さとし、該長さを短辺中心寸法（２５）とする。
本発明は以上のような構造である。
本発明を利用するときは、図９に示すように用紙（１７）の長辺（１８）の中央に二つの孔（２８）を穿孔する場合、図１６に示すように用紙（１７）の長辺（１８）を奥にして基準痕用紙挿入部（８）に該用紙（１７）を挿入する。該用紙（１７）の片方の短辺（１９）は突当たり部（１１）に押し当てて用紙（１７）を揃える。次に図１７及び図１８に示すようにレバー（４）を圧下して連動する押付刃（１４）を降下させ、該押付刃（１４）と押付台（１５）の間にある用紙（１７）に押しつけると該用紙（１７）が圧迫されて押付刃（１４）に接触した最上部の用紙（１７）に線状の圧迫痕が付く。図７に示すように該用紙（１７）の長辺（１８）に付いた線状の圧迫痕を基準痕（１０）とする。この際、用紙（１７）を損傷しない程度に押付刃（１４）の刃先は丸めておく。基準痕用紙挿入部（８）に挿入された用紙（１７）が１枚もしくは２枚で用紙（１７）に弾力が無く圧迫痕が付きにくい場合でも押付台（１５）が軟質樹脂又はゴム材で形成されていて弾力がある為、押付刃（１４）が用紙（１７）を押しつけてそのまま押付台（１５）に食い込むと容易に該用紙（１７）に基準痕（１０）をつけることができる。図１８に示すように２孔パンチ器（１）の突当たり部（１１）と押付刃（１４）の刃との間の長さを基準寸法（２３）とするので押付刃（１４）が用紙（１７）の長辺（１８）に基準痕（１０）を付けた結果、図７に示すように用紙（１７）の長辺（１８）に付いた該基準痕（１０）は短辺（１９）と平行に形成され、該基準痕（１０）と該短辺（１９）の間隔が基準寸法（２３）となる。基準寸法（２３）は２孔パンチ器（１）固有の寸法となり、以後の二つの孔の位置決めにおいて基本の長さとして利用する。次に図１９に示すように用紙（１７）を穿孔する為に該用紙（１７）を穿孔用紙挿入部（９）に挿入する際は、基準痕（１０）の付いた長辺（１８）を奥にして挿入する。その際該用紙（１７）の長辺（１８）に付いた基準痕（１０）と該穿孔用紙挿入部（９）の最奥部に表示された長辺基準点（２１）の位置を一致させる。図１９に示すようにベース（２）に表示される該長辺基準点（２１）と中心基準点（２０）との位置関係は、２孔パンチ器（１）で扱う用紙（１７）を想定して該当する紙の寸法規格であるＩＳＯ２１６やＪＩＳ規格Ｐ０１３８の寸法に基づき、紙の規格長辺寸法の２分の１を算出し、該規格長辺寸法の２分の１から図１８に示す基準寸法（２３）を差し引いた残りの長さを長辺中心寸法（２４）として長辺基準点（２１）と中心基準点（２０）の間隔とする。したがって図１９に示すように上記の想定に該当した用紙（１７）の長辺（１８）の基準痕（１０）とベース（２）に表示された長辺基準点（２１）の位置を一致させると、用紙（１７）の基準痕（１０）から長辺（１８）の中心に向かって長辺中心寸法（２４）の長さの位置が用紙（１７）の長辺（１８）の２分の１の位置であり且つ長辺（１８）の中心位置となる。故にベース（２）に表示された長辺基準点（２１）から長辺中心寸法（２４）の間隔の位置に表示された中心基準点（２０）と用紙の長辺（１８）の中心位置が一致することになる。更に図１８に示すようにベース（２）の中心基準点（２０）は二つのパンチ軸刃（１３）の中心に位置するので、用紙（１７）の長辺（１８）の基準痕（１０）とベース（２）に表示された長辺基準点（２１）の位置を一致させて、レバー（４）を圧下し、二つのパンチ軸刃（１３）を降下させると、図９に示すように二つの孔（２８）が用紙（１７）の長辺（１８）の中央に自動的に穿孔することができる。
図１３に示すように用紙（１７）の短辺（１９）の中央に二つの孔（２８）を穿孔する場合も長辺（１８）に穿孔する場合と同様に図２０に示すように用紙（１７）の短辺（１９）を奥にして基準痕用紙挿入部（８）に該用紙（１７）を挿入する。該用紙（１７）の片方の長辺（１８）は突当たり部（１１）に押し当てて揃える。次に図１６図１７に示すようにレバー（４）を圧下して連動する押付刃（１４）を降下させ、該押付刃（１４）と押付台（１５）の間にある用紙（１７）に押しつけると該用紙（１７）が圧迫されて押付刃（１４）に接触した最上部の用紙（１７）に線状の圧迫痕が付く。図１１に示すように該用紙（１７）の短辺（１９）に付いた線状の圧迫痕を基準痕（１０）とする。図１８に示すように２孔パンチ器（１）の突当たり部（１１）と押付刃（１４）刃との間の長さを基準寸法（２３）とするので押付刃（１４）が用紙（１７）の短辺（１９）に基準痕（１０）を付けた結果、図１１に示すように用紙（１７）の短辺（１９）に付いた該基準痕（１０）は長辺（１８）と平行に形成され、該基準痕（１０）と該長辺（１８）の間隔が基準寸法（２３）となる。次に図２１に示すように用紙（１７）を穿孔する為に該用紙（１７）を穿孔用紙挿入部（９）に挿入する際は、基準痕（１０）の付いた短辺（１９）を奥にして挿入する。その際該用紙（１７）の短辺（１９）に付いた基準痕（１０）と該穿孔用紙挿入部（９）の最奥部に表示された短辺基準点（２２）の位置を一致させる。図２１に示すようにベース（２）に表示される該短辺基準点（２２）と中心基準点（２０）との位置関係は、２孔パンチ器（１）で扱う用紙（１７）を想定して該当する紙の寸法規格であるＩＳＯ２１６やＪＩＳ規格Ｐ０１３８の寸法に基づき、紙の規格短辺寸法の２分の１を算出し、該規格短辺寸法の２分の１から図１８に示す基準寸法（２３）を差し引いた残りの長さを短辺中心寸法（２５）として短辺基準点（２２）と中心基準点（２０）の間隔とする。したがって図２１に示すように上記の想定に該当した用紙（１７）の短辺（１９）の基準痕（１０）とベース（２）に表示された短辺基準点（２２）の位置を一致させると、用紙（１７）の基準痕（１０）から短辺（１９）の中心に向かって短辺中心寸法（２５）の長さの位置が用紙（１７）の短辺（１９）の２分の１の位置であり且つ短辺（１９）の中心位置となる。故にベース（２）に表示された短辺基準点（２２）から短辺中心寸法（２５）の間隔の位置に表示された中心基準点（２０）と用紙の短辺（１９）の中心位置が一致することになる。更に図１８に示すようにベース（２）の中心基準点（２０）は二つのパンチ軸刃（１３）の中心に位置するので、用紙（１７）の短辺（１９）の基準痕（１０）とベース（２）に表示された短辺基準点（２２）の位置を一致させて、レバー（４）を圧下し、二つのパンチ軸刃（１３）を降下させると、図１３に示すように二つの孔（２８）が用紙（１７）の短辺（１９）の中央に自動的に穿孔することができる。
【実施例３】
【００１０】以下、本発明の第３実施の形態について説明する。
（イ）図２２及び図２３に示すように２孔パンチ器（１）のベース（２）上面に一定の間隔で２個のパンチ孔（１２）を設ける。
（ロ）図２４及び図２５に示すように２個のパンチ孔（１２）の上にフレーム（３）をそれぞれ止着し、フレーム（３）の中に支点ピン（５）を取り付け、該支点ピン（５）でフレーム（３）と繋がった回動可能なレバー（４）を該フレーム（３）の上部に設置する。レバー（４）は支点ピン（５）に装着したバネ（７）で常時上方に付勢している。それぞれのフレーム（３）に設置されたレバー（４）は後方で繋がり一体となっている。
（ハ）図２５に示すようにフレーム（３）内にはレバー（４）と軸ピン（６）で繋がったパンチ軸刃（１３）を垂直に設ける。図２３に示すようにパンチ軸刃（１３）はレバー（４）の圧下に連動して降下し、ベース（２）のパンチ孔（１２）に垂直に嵌入するよう設置する。
（ニ）図２２及び図２３に示すようにレバー（４）を圧下させると支点ピン（５）を中心に該レバー（４）が回動し、該レバー（４）の先端が上方に持ち上げられてフレーム（３）との間に空間が生じる。該空間を基準痕用紙挿入部（８）とする。該基準痕用紙挿入部（８）の底面には押付台（１５）を設置する。該押付台（１５）は二つのフレーム（３）の上部に橋渡しして設置し、一方の縁端は上方に垂直に折り曲げ突当たり部（１１）とする。図２６に示すように他方の縁端はフレーム（３）の側面の外側と同じ位置に切り揃える。フレーム（３）外側と位置を揃えた該縁端の上部にあるレバー（４）の内側側面に押付刃（１４）を止着する。
（ヘ）図２４及び図２５に示すようにレバー（４）の圧下を解放してバネ（７）の付勢力で該レバー（４）が上方に保持された状態になると該レバー（４）の先端に設けた基準痕用紙挿入部（８）が閉じ、押付刃（１４）も連動して降下する。該押付刃（１４）はフレーム（３）の外側面と位置を揃えた押付台（１５）の縁端をかすめて降下するよう設置する。
（ト）図２４及び図２５に示すようにベース（２）とフレーム（３）の間の一部に用紙（１７）を挿入する為の空間を設け穿孔用紙挿入部（９）とする。
（チ）図２７及び図２９に示すように穿孔用紙挿入部（９）の最奥部のベース（２）上面の２個のパンチ軸刃（１３）の中央に中心基準点（２０）を表示し、該中心基準点（２０）から該穿孔用紙挿入部（９）の最奥部に沿って横並びで突き当たり部（１１）側に向かって短辺基準点（２２）と長辺基準点（２１）を表示する。
（リ）上記（チ）の長辺基準点（２１）と中心基準点（２０）の間隔は、２孔パンチ器（１）で扱う紙の寸法の規格であるＩＳＯ２１６やＪＩＳ規格Ｐ０１３８に基づいた紙の規格長辺寸法の２分の１の長さから図２６に示すように押付刃（１４）の刃から突き当たり部（１１）までの基準寸法（２３）を差し引いた長さとし、該長さを長辺中心寸法（２４）とする。
（ヌ）上記（チ）の短辺基準点（２２）と中心基準点（２０）の間隔は、２孔パンチ器（１）で扱う紙の寸法の規格であるＩＳＯ２１６やＪＩＳ規格Ｐ０１３８に基づいた紙の規格短辺寸法の２分の１の長さから図２６に示すように押付刃（１４）の刃から突き当たり部（１１）までの基準寸法（２３）を差し引いた長さとし、該長さを短辺中心寸法（２５）とする。
本発明は以上のような構造である。
本発明を利用するときは、図９に示すように用紙（１７）の長辺（１８）の中央に二つの孔（２８）を穿孔する場合、図２２及び図２３に示すようにレバー（４）を圧下させて支点ピン（５）を中心に該レバー（４）を回動し該レバー（４）の先端を持ち上げてフレーム（３）との間に用紙（１７）を挿入できる基準痕用紙挿入部（８）を生じさせる。用紙（１７）の長辺（１８）を奥にして基準痕用紙挿入部（８）に用紙（１７）を挿入し、該用紙（１７）の片方の短辺（１９）は突当たり部（１１）に押し当てて用紙（１７）を揃える。用紙（１７）は二つのフレーム（３）にまたがる押付台（１５）の上に置かれる。次に図２４及び図２５に示すようにレバー（４）の圧下を解放してバネ（７）の付勢力で該レバー（４）が上方に保持された状態になると該レバー（４）の先端に設けた該基準痕用紙挿入部（８）が閉じ、押付刃（１４）も連動して降下する。図２５及び図２６に示すように押付台（１５）の上に置かれた用紙（１７）は、該押付台（１５）の縁端をかすめるように降下する押付刃（１４）に挟まれて剪断力が発生し押付刃（１４）に接した最上部の用紙（１７）に線状の圧迫痕が付く。図７に示すように該用紙（１７）の長辺（１８）に付いた線状の圧迫痕を基準痕（１０）とする。この際、用紙（１７）を損傷しないよう押付刃（１４）の刃先は少し丸めておく。図２６に示すように突当たり部（１１）と押付刃（１４）の刃との間の長さを基準寸法（２３）とするので押付刃（１４）が用紙（１７）の長辺（１８）に基準痕（１０）を付けた結果、図７に示すように用紙（１７）の長辺（１８）に付いた該基準痕（１０）は短辺（１９）と平行に形成され、該基準痕（１０）と該短辺（１９）の間隔が基準寸法（２３）となる。次に図２７に示すように用紙（１７）を穿孔する為に該用紙（１７）を穿孔用紙挿入部（９）に挿入する際は、基準痕（１０）の付いた長辺（１８）を奥にして挿入する。その際該用紙（１７）の長辺（１８）に付いた基準痕（１０）と該穿孔用紙挿入部（９）の最奥部に表示された長辺基準点（２１）の位置を一致させる。図２７に示すようにベース（２）に表示される該長辺基準点（２１）と中心基準点（２０）との位置関係は、２孔パンチ器（１）で扱う用紙（１７）を事前に想定して該当する紙の寸法規格であるＩＳＯ２１６やＪＩＳ規格Ｐ０１３８の寸法に基づき、紙の規格長辺寸法の２分の１を算出し、該規格長辺寸法の２分の１から図２６に示す基準寸法（２３）を差し引いた残りの長さを長辺中心寸法（２４）として長辺基準点（２１）と中心基準点（２０）の間隔とする。したがって図２７に示すように上記の想定に該当した用紙（１７）の長辺（１８）の基準痕（１０）とベース（２）に表示された長辺基準点（２１）の位置を一致させると、用紙（１７）の基準痕（１０）から長辺（１８）の中心に向かって長辺中心寸法（２４）の長さの位置が用紙（１７）の長辺（１８）の２分の１の位置であり且つ長辺（１８）の中心位置となる。故にベース（２）に表示された長辺基準点（２１）から長辺中心寸法（２４）の間隔の位置に表示された中心基準点（２０）と用紙の長辺（１８）の中心位置が一致することになる。更に図２６に示すようにベース（２）の中心基準点（２０）は二つのパンチ軸刃（１３）の中心に位置するので、用紙（１７）の長辺（１８）の基準痕（１０）とベース（２）に表示された長辺基準点（２１）の位置を一致させて、レバー（４）を圧下し、二つのパンチ軸刃（１３）を降下させると、図９に示すように二つの孔（２８）が用紙（１７）の長辺（１８）の中央に自動的に穿孔することができる。
図１３に示すように用紙（１７）の短辺（１９）の中央に二つの孔（２８）を穿孔せる場合も長辺（１８）に穿孔する場合と同様に図２２及び図２３に示すようにレバー（４）を圧下させて支点ピン（５）を中心に該レバー（４）を回動し該レバー（４）の先端を持ち上げてフレーム（３）との間に用紙（１７）を挿入できる基準痕用紙挿入部（８）を生じさせる。用紙（１７）の短辺（１９）を奥にして基準痕用紙挿入部（８）に用紙（１７）を挿入し、該用紙（１７）の片方の長辺（１８）は突当たり部（１１）に押し当てて用紙（１７）を揃える。用紙（１７）は二つのフレーム（３）にまたがる押付台（１５）の上に置かれる。次に図２４及び図２５に示すようにレバー（４）の圧下を解放してバネ（７）の付勢力で該レバー（４）が上方に保持された状態になると該レバー（４）の先端に設けた該基準痕用紙挿入部（８）が閉じ、押付刃（１４）も連動して降下する。図２５及び図２６に示すように押付台（１５）の上に置かれた用紙（１７）は、該押付台（１５）の縁端をかすめるように降下する押付刃（１４）に挟まれて剪断力が発生し押付刃（１４）に接した最上部の用紙（１７）に線状の圧迫痕が付く。図１１に示すように該用紙（１７）の短辺（１９）に付いた線状の圧迫痕を基準痕（１０）とする。この際、用紙（１７）を損傷しない程度に押付刃（１４）の刃先は丸めておく。図２６に示すように突当たり部（１１）と押付刃（１４）の刃との間の長さを基準寸法（２３）とするので押付刃（１４）が用紙（１７）の短辺（１９）に基準痕（１０）を付けた結果、図１１に示すように用紙（１７）の短辺（１９）に付いた該基準痕（１０）は長辺（１８）と平行に形成され、該基準痕（１０）と該長辺（１８）の間隔が基準寸法（２３）となる。次に図２９に示すように用紙（１７）を穿孔する為に該用紙（１７）を穿孔用紙挿入部（９）に挿入する際は、基準痕（１０）の付いた短辺（１９）を奥にして挿入する。その際該用紙（１７）の短辺（１９）に付いた基準痕（１０）と該穿孔用紙挿入部（９）の最奥部に表示された短辺基準点（２２）の位置を一致させる。図２９に示すようにベース（２）に表示される該短辺基準点（２２）と中心基準点（２０）との位置関係は、２孔パンチ器（１）で扱う用紙（１７）を事前に想定して該当する紙の寸法規格であるＩＳＯ２１６やＪＩＳ規格Ｐ０１３８の寸法に基づき、紙の規格短辺寸法の２分の１を算出し、該規格短辺寸法の２分の１から図２６に示す基準寸法（２３）を差し引いた残りの長さを短辺中心寸法（２５）として短辺基準点（２２）と中心基準点（２０）の間隔とする。したがって図３０に示すように上記の想定に該当した用紙（１７）の短辺（１９）の基準痕（１０）とベース（２）に表示された短辺基準点（２２）の位置を一致させると、用紙（１７）の基準痕（１０）から短辺（１９）の中心に向かって短辺中心寸法（２５）の長さの位置が用紙（１７）の短辺（１９）の２分の１の位置であり且つ短辺（１９）の中心位置となる。故にベース（２）に表示された短辺基準点（２２）から短辺中心寸法（２５）の間隔の位置に表示された中心基準点（２０）と用紙の短辺（１９）の中心位置が一致することになる。更に図２６に示すようにベース（２）の中心基準点（２０）は二つのパンチ軸刃（１３）の中心に位置するので、用紙（１７）の短辺（１９）の基準痕（１０）とベース（２）に表示された短辺基準点（２２）の位置を一致させて、レバー（４）を圧下し、二つのパンチ軸刃（１３）を降下させると、図１３に示すように二つの孔（２８）が用紙（１７）の短辺（１９）の中央に自動的に穿孔することができる。
【実施例４】
【００１１】  以下、本発明の第４実施の形態について説明する。
（イ）図３１及び図３２に示すように２孔パンチ器（１）のベース（２）上面に一定の間隔で２個のパンチ孔（１２）を設ける。
（ロ）図３１及び図３２に示すように２個のパンチ孔（１２）の上にフレーム（３）をそれぞれ止着し、フレーム（３）の中に支点ピン（５）を取り付け、フレーム（３）と該支点ピン（５）で繋がった回動可能なレバー（４）を該フレーム（３）の上部に設置する。それぞれのフレーム（３）に設置された二つのレバー（４）は後方で繋がり一体となっている。
（ハ）図３２に示すようにフレーム（３）内にはレバー（４）と軸ピン（６）で繋がったパンチ軸刃（１３）を垂直に設置する。レバー（４）は該パンチ軸刃（１３）に装着したバネ（７）で常時上方に付勢し、同時にパンチ軸刃（１３）も上方に保持されている。
（ニ）図３２に示すようにレバー（４）と軸ピン（６）で繋がったパンチ軸刃（１３）は、レバー（４）の圧下に連動して降下しベース（２）のパンチ孔（１２）に垂直に嵌入するよう設置する。
（ホ）図３０に示すように２孔パンチ器（１）本体の最下部に設置されている樹脂製の屑受カバー（３１）の底の裏面の正面側の片方の隅に押付刃（１４）を下向きに設け、他方の正面の隅には用紙（１７）を差し込む空間を設ける。
（ヘ）図３０及び図３３に示すように上記（ホ）の押付刃（１４）と向かい合わせに該押付刃（１４）と同じ幅の突当たり部（１１）を設け、該突当たり部（１１）の奥に屑受カバー（３１）の正面縁端と平行に正面突当たり部（３３）を一定の長さで設け、該突当たり部（１１）と該正面突当たり部（３３）の底面に用紙（１７）を乗せる用紙受台（３２）を水平に設ける。上記（ホ）の空間は、該突当たり部（１１）と該正面突当たり部（３３）と該用紙受台（３２）の間にできたコの字型の空間で基準痕用紙挿入部（８）とする。
（ト）図３０及び図３１に示すように基準痕用紙挿入部（８）の空間の高さは２孔パンチ器（１）が穿孔可能な用紙（１７）の最多枚数の厚みが収納できる高さとする。
（チ）図３０及び図３２に示すように屑受カバー（３１）の底の裏面から下に突き出た押付刃（１４）の高さと基準痕用紙挿入部（８）の構成部分の高さを一致させる。又２孔パンチ器（２）の水平を保つ為屑受カバー（３１）の底の裏面奥の二つの隅にも該高さと同じ高さの脚部（３４）を設ける。
（リ）図３２に示すようにベース（２）とフレーム（３）の間の一部に用紙（１７）を挿入する為の空間を設け、穿孔用紙挿入部（９）とする。
（ヌ）図３５及び図３７に示すように、穿孔用紙挿入部（９）の最奥部のベース（２）上面で２個のパンチ軸刃（１３）の中央に中心基準点（２０）を表示し、該中心基準点（２０）から該穿孔用紙挿入部（９）の最奥部に沿って横並びで突き当たり部（１１）側に向かって短辺基準点（２２）と長辺基準点（２１）を表示する。
（ル）上記（ヌ）の長辺基準点（２１）と中心基準点（２０）の間隔は、２孔パンチ器（１）で扱う紙の寸法の規格であるＩＳＯ２１６やＪＩＳ規格Ｐ０１３８に基づいた紙の規格長辺寸法の２分の１の長さから図３１に示すように押付刃（１４）の刃から突き当たり部（１１）までの基準寸法（２３）を差し引いた長さとし、該長さを長辺中心寸法（２４）とする。
（オ）上記（ヌ）の短辺基準点（２２）と中心基準点（２０）の間隔は、２孔パンチ器（１）で扱う紙の寸法の規格であるＩＳＯ２１６やＪＩＳ規格Ｐ０１３８に基づいた紙の規格短辺寸法の２分の１の長さから図３１に示すように押付刃（１４）の刃から突き当たり部（１１）までの基準寸法（２３）を差し引いた長さとし、該長さを短辺中心寸法（２５）とする。
本発明は以上のような構造である。
本発明を利用するときは、図９に示すように用紙（１７）の長辺（１８）の中央に二つの孔（２８）を穿孔する場合、図３１及び３４に示すように用紙（１７）の長辺（１８）を奥にして基準痕用紙挿入部（８）に用紙を挿入する。該用紙（１７）の長辺（１８）は正面突当たり部（３３）に押し当てて屑受カバー（３１）の縁端と平行に揃え、片方の短辺（１９）は突当たり部（１１）に押し当てて用紙（１７）を揃える。２孔パンチ器（１）を机上に置いた場合、図３１及び図３４に示すように用紙（１７）を基準痕用紙挿入部（８）に挿入すると同時に該用紙（１７）は押付刃（１４）の下になり、押付刃（１４）と机に挟まれた状態になる。この時２孔パンチ器（１）全体を人が体重をかけて上から圧迫すると押付刃（１４）が用紙（１７）の長辺（１８）に線状の圧迫痕を付ける。この際押付刃（１４）が用紙（１７）を損傷しないよう押付刃（１４）の刃先は丸めておく。図３１に示すように突当たり部（１１）と押付刃（１４）との間の長さを基準寸法（２３）とするので押付刃（１４）が用紙（１７）の長辺（１８）に基準痕（１０）を付けた結果、図７に示すように用紙（１７）の長辺（１８）に付いた該基準痕（１０）は短辺（１９）と平行に形成され、該基準痕（１０）と該短辺（１９）の間隔が基準寸法（２３）となる。基準寸法（２３）は２孔パンチ器（１）固有の寸法となり、以後の二つの孔（２８）の位置決めにおいて基本の長さとして利用する。次に図３５に示すように用紙（１７）を穿孔する為に該用紙（１７）を穿孔用紙挿入部（９）に挿入する際は、基準痕（１０）の付いた長辺（１８）を奥にして挿入する。その際該用紙（１７）の長辺（１８）に付いた基準痕（１０）と該穿孔用紙挿入部（９）の最奥部に表示された長辺基準点（２１）の位置を一致させる。図３５に示すようにベース（２）に表示される該長辺基準点（２１）と中心基準点（２０）との位置関係は、２孔パンチ器（１）で扱う用紙（１７）を想定して該当する紙の寸法規格であるＩＳＯ２１６やＪＩＳ規格Ｐ０１３８の寸法に基づき、紙の規格長辺寸法の２分の１を算出し、該規格長辺寸法の２分の１から図３１に示す基準寸法（２３）を差し引いた残りの長さを長辺中心寸法（２４）として長辺基準点（２１）と中心基準点（２０）の間隔とする。したがって図３５に示すように上記の想定に該当した用紙（１７）の長辺（１８）の基準痕（１０）とベース（２）に表示された長辺基準点（２１）の位置を一致させると、用紙（１７）の基準痕（１０）から長辺（１８）の中心に向かって長辺中心寸法（２４）の長さの位置が用紙（１７）の長辺（１８）の２分の１の位置であり且つ長辺（１８）の中心位置となる。故にベース（２）に表示された長辺基準点（２１）から長辺中心寸法（２４）の間隔の位置に表示された中心基準点（２０）と用紙の長辺（１８）の中心位置が一致することになる。更に図３５に示すようにベース（２）の中心基準点（２０）は二つのパンチ軸刃（１３）の中心に位置するので、用紙（１７）の長辺（１８）の基準痕（１０）とベース（２）に表示された長辺基準点（２１）の位置を一致させて、レバー（４）を圧下し、二つのパンチ軸刃（１３）を降下させると、図９に示すように二つの孔（２８）が用紙（１７）の長辺（１８）の中央に自動的に穿孔することができる。
図１３に示すように用紙（１７）の短辺（１９）の中央に二つの孔（２８）を穿孔する場合も長辺（１８）に穿孔する場合と同様に、図３１及び図３６に示すように用紙（１７）の短辺（１９）を奥にして基準痕用紙挿入部（８）に用紙を挿入する。該用紙（１７）の短辺（１９）は正面突当たり部（３３）に押し当てて屑受カバー（３１）の縁端と平行に揃え、片方の長辺（１８）は突当たり部（１１）に押し当てて用紙（１７）を揃える。２孔パンチ器（１）を机上に置いた場合、図３１及び図３６に示すように用紙（１７）を基準痕用紙挿入部（８）に挿入すると同時に該用紙（１７）は押付刃（１４）の下になり、押付刃（１４）と机に挟まれた状態になる。この時２孔パンチ器（１）全体を人が体重をかけて上から圧迫すると押付刃（１４）が用紙（１７）の短辺（１９）に線状の圧迫痕を付ける。この際押付刃（１４）が用紙（１７）を損傷しないよう押付刃（１４）の刃先は丸めておく。図３１に示すように突当たり部（１１）と押付刃（１４）との間の長さを基準寸法（２３）とするので押付刃（１４）が用紙（１７）の短辺（１９）に基準痕（１０）を付けた結果、図１１に示すように用紙（１７）の短辺（１９）に付いた該基準痕（１０）は長辺（１８）と平行に形成され、該基準痕（１０）と該長辺（１８）の間隔が基準寸法（２３）となる。基準寸法（２３）は２孔パンチ器（１）固有の寸法となり、以後の二つの孔（２８）の位置決めにおいて基本の長さとして利用する。次に図３７に示すように用紙（１７）を穿孔する為に該用紙（１７）を穿孔用紙挿入部（９）に挿入する際は、基準痕（１０）の付いた短辺（１９）を奥にして挿入する。その際該用紙（１７）の短辺（１９）に付いた基準痕（１０）と該穿孔用紙挿入部（９）の最奥部に表示された短辺基準点（２２）の位置を一致させる。図３７に示すようにベース（２）に表示される該短辺基準点（２２）と中心基準点（２０）との位置関係は、２孔パンチ器（１）で扱う用紙（１７）を想定して該当する紙の寸法規格であるＩＳＯ２１６やＪＩＳ規格Ｐ０１３８の寸法に基づき、紙の規格長辺寸法の２分の１を算出し、該規格長辺寸法の２分の１から図３１に示す基準寸法（２３）を差し引いた残りの長さを短辺中心寸法（２５）として短辺基準点（２２）と中心基準点（２０）の間隔とする。したがって図３７に示すように上記の想定に該当した用紙（１７）の短辺（１９）の基準痕（１０）とベース（２）に表示された短辺基準点（２２）の位置を一致させると、用紙（１７）の基準痕（１０）から短辺（１９）の中心に向かって短辺中心寸法（２５）の長さの位置が用紙（１７）の短辺（１９）の２分の１の位置であり且つ短辺（１９）の中心位置となる。故にベース（２）に表示された短辺基準点（２２）から短辺中心寸法（２５）の間隔の位置に表示された中心基準点（２０）と用紙の短辺（１９）の中心位置が一致することになる。更に図３７に示すようにベース（２）の中心基準点（２０）は二つのパンチ軸刃（１３）の中心に位置するので、用紙（１７）の短辺（１９）の基準痕（１０）とベース（２）に表示された短辺基準点（２２）の位置を一致させて、レバー（４）を圧下し、二つのパンチ軸刃（１３）を降下させると、図１３に示すように二つの孔（２８）が用紙（１７）の短辺（１９）の中央に自動的に穿孔することができる。
【実施例５】
【００１２】  以下、本発明の実施の形態について説明する。
（イ）図３８及び図３９に示すように２孔パンチ器（１）のベース（２）上面に一定の間隔で２個のパンチ孔（１２）を設ける。
（ロ）図３８及び図３９に示すように２個のパンチ孔（１２）の上にフレーム（３）をそれぞれ止着し、フレーム（３）の中に支点ピン（５）を取り付け、該支点ピン（５）でフレーム（３）と繋がった回動可能なレバー（４）を該フレーム（３）の上部に設置する。レバー（４）は支点ピン（５）に装着したバネ（７）で常時上方に付勢している。それぞれのフレーム（３）に設置されたレバー（４）は後方で繋がり一体となっている。
（ハ）図３９に示すようにフレーム（３）内にはレバー（４）と軸ピン（６）で繋がったパンチ軸刃（１３）を垂直に設け、更に二つあるパンチ軸刃（１３）のうちの一つのパンチ軸刃（１３）に押付刃（１４）を水平に止着する。レバー（４）の圧下に連動して降下するパンチ軸刃（１３）と共に押付刃（１４）も降下し、図４３に示すようにパンチ軸刃（１３）の最下点で押付刃（１４）がフレーム（３）の底部に設置した押付台（１５）に設けた溝（１６）に収まるように設置する。
（ニ）図３８及び図３９に示すようにバネ（７）の付勢力で常時上方に保持されるレバー（４）に連動して、押付刃（１４）も常時上方に引き上げられ押付台（１５）との間に一定の間隔が開いている。該間隔と同位置にフレーム（３）の正面から側面の一部に至ってフレーム（３）を水平に切り欠き、用紙（１７）がフレーム（３）の外から挿入できるよう基準痕用紙挿入部（８）を設ける。
（ホ）図３９に示すように切り欠いた基準痕用紙挿入部（８）の開口部の高さは、挿入した用紙（１７）が押付刃（１４）に当たって損傷しないよう押付刃（１４）と押付台（１５）の間隔よりも狭くする。
（ヘ）上記（ハ）の押付台（１５）は図３８に示すように二つのフレーム（３）の底部に橋渡しして設置し、二つの基準痕用紙挿入部（８）の底面を形成する。該押付台（１５）の一方の縁端は上方に折り曲げて突当たり部（１１）とし、該突当たり部（１１）は二つのフレーム（３）のうち押付刃（１４）を中に設けていないフレーム（３）の外側の側壁の外に張り出して設置する。他方の縁端はフレーム（３）の側面の外側と同じ位置に切りそろえる。
（ト）図３８及び図３９に示すようにベース（２）とフレーム（３）の間の一部に用紙（１７）を挿入する為の空間を設け穿孔用紙挿入部（９）とする。
（チ）図３９に示すようにレバー（４）と軸ピン（６）で繋がったパンチ軸刃（１３）は、レバー（４）の圧下に連動して降下し、ベース（２）のパンチ孔（１２）に垂直に嵌入するよう設置する。
（リ）図４４及び図４６に示すように、穿孔用紙挿入部（９）の最奥部のベース（２）上面で２個のパンチ軸刃（１３）の中央に中心基準点（２０）を表示し、該中心基準点（２０）から該穿孔用紙挿入部（９）の最奥部に沿って横並びで突き当たり部（１１）側に向かって短辺基準点（２２）と長辺基準点（２１）を表示する。
（ヌ）上記（リ）の長辺基準点（２１）と中心基準点（２０）の間隔は、２孔パンチ器（１）で扱う紙の寸法の規格であるＩＳＯ２１６やＪＩＳ規格Ｐ０１３８に基づいた紙の規格長辺寸法の２分の１の長さから図４２に示すように押付刃（１４）の刃から突き当たり部（１１）までの基準寸法（２３）を差し引いた長さとし、該長さを長辺中心寸法（２４）とする。
（ル）上記（リ）の短辺基準点（２２）と中心基準点（２０）の間隔は、２孔パンチ器（１）で扱う紙の寸法の規格であるＩＳＯ２１６やＪＩＳ規格Ｐ０１３８に基づいた紙の規格短辺寸法の２分の１の長さから図４２に示すように押付刃（１４）の刃から突き当たり部（１１）までの基準寸法（２３）を差し引いた長さとし、該長さを短辺中心寸法（２５）とする。
本発明は以上のような構造である。
本発明を利用するときは、図９に示すように用紙（１７）の長辺（１８）の中央に二つの孔（２８）を穿孔する場合、図４０に示すように用紙（１７）の長辺（１８）を奥にして基準痕用紙挿入部（８）に該用紙（１７）を挿入する。該用紙（１７）の片方の短辺（１９）は突当たり部（１１）に押し当てて用紙（１７）を揃える。次に図４１及び図４２に示すようにレバー（４）を圧下して連動するパンチ軸刃（１３）に水平に止着した押付刃（１４）を降下させ、用紙（１７）に押しつけると押付刃（１４）と押付台（１５）に挟まれた用紙（１７）が圧迫されて押付刃（１４）に接触した最上部の用紙（１７）に線状の圧迫痕が付く。図７に示すように該用紙（１７）の長辺（１８）に付いた線状の圧迫痕を基準痕（１０）とする。この際、用紙（１７）を損傷しない程度に押付刃（１４）の刃先は丸めておく。図４３に示すように基準痕用紙挿入部（８）に挿入する用紙（１７）が１枚もしくは２枚で、用紙（１７）に弾力が無く圧迫痕が付かない場合は、押付刃（１４）を最下点まで降下させて押付台（１５）に設けた溝（１６）の中まで該押付刃（１４）を降下させると該押付刃（１４）と該溝（１６）に挟まれた該用紙（１７）に折り曲げによる線状の基準痕（１０）を付けることができる。図４２に示すように突当たり部（１１）と押付刃（１４）との間の長さを基準寸法（２３）とするので押付刃（１４）が用紙（１７）の長辺（１８）に基準痕（１０）を付けた結果、図７に示すように用紙（１７）の長辺（１８）に付いた該基準痕（１０）は短辺（１９）と平行に形成され、該基準痕（１０）と該短辺（１９）の間隔が基準寸法（２３）となる。基準寸法（２３）は２孔パンチ器（１）固有の寸法となり、以後の二つの孔（２８）の位置決めにおいて基本の長さとして利用する。次に図４４に示すように用紙（１７）を穿孔する為に該用紙（１７）を穿孔用紙挿入部（９）に挿入する際は、基準痕（１０）の付いた長辺（１８）を奥にして挿入する。その際該用紙（１７）の長辺（１８）に付いた基準痕（１０）と該穿孔用紙挿入部（９）の最奥部に表示された長辺基準点（２１）の位置を一致させる。図４４に示すようにベース（２）に表示される該長辺基準点（２１）と中心基準点（２０）との位置関係は、２孔パンチ器（１）で扱う用紙（１７）を想定して該当する紙の寸法規格であるＩＳＯ２１６やＪＩＳ規格Ｐ０１３８の寸法に基づき、紙の規格長辺寸法の２分の１を算出し、該規格長辺寸法の２分の１から図４２に示す基準寸法（２３）を差し引いた残りの長さを長辺中心寸法（２４）として長辺基準点（２１）と中心基準点（２０）の間隔とする。したがって図４４に示すように上記の想定に該当した用紙（１７）の長辺（１８）の基準痕（１０）とベース（２）に表示された長辺基準点（２１）の位置を一致させると、用紙（１７）の基準痕（１０）から長辺（１８）の中心に向かって長辺中心寸法（２４）の長さの位置が用紙（１７）の長辺（１８）の２分の１の位置であり且つ長辺（１８）の中心位置となる。故にベース（２）に表示された長辺基準点（２１）から長辺中心寸法（２４）の間隔の位置に表示された中心基準点（２０）と用紙の長辺（１８）の中心位置が一致することになる。更に図４２に示すようにベース（２）の中心基準点（２０）は二つのパンチ軸刃（１３）の中心に位置するので、用紙（１７）の長辺（１８）の基準痕（１０）とベース（２）に表示された長辺基準点（２１）の位置を一致させて、レバー（４）を圧下し、二つのパンチ軸刃（１３）を降下させると、図９に示すように二つの孔（２８）が用紙（１７）の長辺（１８）の中央に自動的に穿孔することができる。
図１３に示すように用紙（１７）の短辺（１９）の中央に二つの孔（２８）を穿孔する場合も長辺（１８）に穿孔する場合と同様に図４５に示すように用紙（１７）の短辺（１９）を奥にして基準痕用紙挿入部（８）に該用紙（１７）を挿入する。該用紙（１７）の片方の長辺（１８）は突当たり部（１１）に押し当てて揃える。次に図４１及び図４２に示すようにレバー（４）を圧下して連動するパンチ軸刃（１３）に水平に止着した押付刃（１４）を降下させ、用紙（１７）に押しつけると押付刃（１４）と押付台（１５）に挟まれた用紙（１７）が圧迫されて押付刃（１４）に接触した最上部の用紙（１７）に線状の圧迫痕が付く。図１１に示すように該用紙（１７）の短辺（１９）に付いた線状の圧迫痕を基準痕（１０）とする。図４２に示すように突当たり部（１１）と押付刃（１４）の刃との間の長さを基準寸法（２３）とするので押付刃（１４）が用紙（１７）の短辺（１９）に基準痕（１０）を付けた結果、図１１に示すように用紙（１７）の短辺（１９）に付いた該基準痕（１０）は長辺（１８）と平行に形成され、該基準痕（１０）と該長辺（１８）の間隔が基準寸法（２３）となる。次に図４６に示すように用紙（１７）を穿孔する為に該用紙（１７）を穿孔用紙挿入部（９）に挿入する際は、基準痕（１０）の付いた短辺（１９）を奥にして挿入する。その際該用紙（１７）の短辺（１９）に付いた基準痕（１０）と該穿孔用紙挿入部（９）の最奥部に表示された短辺基準点（２２）の位置を一致させる。図４６に示すようにベース（２）に表示される該短辺基準点（２２）と中心基準点（２０）との位置関係は、２孔パンチ器（１）で扱う用紙（１７）を想定して該当する紙の寸法規格であるＩＳＯ２１６やＪＩＳ規格Ｐ０１３８の寸法に基づき、紙の規格短辺寸法の２分の１を算出し、該規格短辺寸法の２分の１から図４２に示す基準寸法（２３）を差し引いた残りの長さを短辺中心寸法（２５）として短辺基準点（２２）と中心基準点（２０）の間隔とする。したがって図４６に示すように上記の想定に該当した用紙（１７）の短辺（１９）の基準痕（１０）とベース（２）に表示された短辺基準点（２２）の位置を一致させると、用紙（１７）の基準痕（１０）から短辺（１９）の中心に向かって短辺中心寸法（２５）の長さの位置が用紙（１７）の短辺（１９）の２分の１の位置であり且つ短辺（１９）の中心位置となる。故にベース（２）に表示された短辺基準点（２２）から短辺中心寸法（２５）の間隔の位置に表示された中心基準点（２０）と用紙の短辺（１９）の中心位置が一致することになる。更に図４２に示すようにベース（２）の中心基準点（２０）は二つのパンチ軸刃（１３）の中心に位置するので、用紙（１７）の短辺（１９）の基準痕（１０）とベース（２）に表示された短辺基準点（２２）の位置を一致させて、レバー（４）を圧下し、二つのパンチ軸刃（１３）を降下させると、図１３に示すように二つの孔（２８）が用紙（１７）の短辺（１９）の中央に自動的に穿孔することができる。
【符号の説明】
【００１３】  １  ２段式２孔パンチ器
２  ベース
３  フレーム
４  レバー
５  支点ピン
６  軸ピン
７  バネ
８  基準痕用紙挿入部
９  穿孔用紙挿入部
１０  基準痕
１１  突当たり部
１２  パンチ孔
１３  パンチ軸刃
１４  押付刃
１５  押付台
１６  溝
１７  用紙
１８  長辺
１９  短辺
２０  中心基準点
２１  長辺基準点
２２  短辺基準点
２３  基準寸法
２４  長辺中心寸法
２５  短辺中心寸法
２６  長辺中心
２７  短辺中心
２８  孔
２９  押付台受
３０  押受ピン
３１  屑受カバー
３２  用紙受台
３３  正面突当たり部
３４  脚部
【図１】
2014018946.tif 000003
【図２】
2014018946.tif 000004
【図３】
2014018946.tif 000005
【図４】
2014018946.tif 000006
【図５】
2014018946.tif 000007
【図６】
2014018946.tif 000008
【図７】
2014018946.tif 000009
【図８】
2014018946.tif 000010
【図９】
2014018946.tif 000011
【図１０】
2014018946.tif 000012
【図１１】
2014018946.tif 000013
【図１２】
2014018946.tif 000014
【図１３】
2014018946.tif 000015
【図１４】
2014018946.tif 000016
【図１５】
2014018946.tif 000017
【図１６】
2014018946.tif 000018
【図１７】
2014018946.tif 000019
【図１８】
2014018946.tif 000020
【図１９】
2014018946.tif 000021
【図２０】
2014018946.tif 000022
【図２１】
2014018946.tif 000023
【図２２】
2014018946.tif 000024
【図２３】
2014018946.tif 000025
【図２４】
2014018946.tif 000026
【図２５】
2014018946.tif 000027
【図２６】
2014018946.tif 000028
【図２７】
2014018946.tif 000029
【図２８】
2014018946.tif 000030
【図２９】
2014018946.tif 000031
【図３０】
2014018946.tif 000032
【図３１】
2014018946.tif 000033
【図３２】
2014018946.tif 000034
【図３３】
2014018946.tif 000035
【図３４】
2014018946.tif 000036
【図３５】
2014018946.tif 000037
【図３６】
2014018946.tif 000038
【図３７】
2014018946.tif 000039
【図３８】
2014018946.tif 000040
【図３９】
2014018946.tif 000041
【図４０】
2014018946.tif 000042
【図４１】
2014018946.tif 000043
【図４２】
2014018946.tif 000044
【図４３】
2014018946.tif 000045
【図４４】
2014018946.tif 000046
【図４５】
2014018946.tif 000047
【図４６】
2014018946.tif 000048